(57)【特許請求の範囲】
【請求項１】
遊技機の下皿から排出されるパチンコ玉を受けてその個数を計数しながら回収する遊技機用玉計数装置の一部を構成し、
遊技機の下皿の下方且つ遊技機の前面側に配設され、
遊技機の下皿から落下するパチンコ玉を受けるようにした玉受皿において、
前記玉受皿には、該玉受皿の前方上部を覆うカバー部を有する飛散防止部材を設け、
前記飛散防止部材は、前記玉受皿に対し回動自在に枢設され、
該飛散防止部材が玉受皿の前方側から上部を覆うように回動方向に昇降可能とし、
前記飛散防止部材の両側には、
前記カバー部が上昇した際、前方へ向かって上り勾配を有する傾斜状となる上縁を備え、
前記飛散防止部材の傾斜した前記上縁が開動作する遊技機との当接に伴って
前記飛散防止部材が回動しカバー部が下降することを特徴とする遊技機用玉計数装置の玉受皿。

【請求項２】
遊技機の下皿から排出されるパチンコ玉を受けてその個数を計数しながら回収する遊技機用玉計数装置の一部を構成し、
遊技機の下皿の下方且つ遊技機の前面側に配設され、
遊技機の下皿から落下するパチンコ玉を受けるようにした玉受皿において、
前記玉受皿には、該玉受皿の前方上部を覆うカバー部を有する飛散防止部材を設け、
前記飛散防止部材は、前記玉受皿に対し回動自在に枢設され、
該飛散防止部材が玉受皿の前方側から上部を覆うように回動方向に昇降可能とし、
前記飛散防止部材は、
該飛散防止部材の両側に、前記カバー部が上昇した際、前方へ向かって上り勾配を有する傾斜状となる上縁と、
前記玉受皿の後方側に、前方方向に向かって下方に傾斜した遮蔽部と、
該遮蔽部の両側を支持し、
前記カバー部が下降した際に後方に向かって上り勾配を有する傾斜状となる支持部と、を備え、
前記飛散防止部材は、
前記飛散防止部材の傾斜した前記上縁が開動作する遊技機との当接に伴って前記飛散防止部材が回動しカバー部が下降するとともに、
傾斜した前記支持部が閉動作する遊技機との当接に伴って該飛散防止部材が回動し前記カバー部を上昇することを特徴とする遊技機用玉計数装置の玉受皿。

【発明の詳細な説明】
【技術分野】
【０００１】
本発明は、遊技機の下皿の下方に配設され、該下皿から排出されたパチンコ玉を受けてその個数を計数しながら回収する遊技機用玉計数装置の玉受皿に関するものである。
【背景技術】
【０００２】
従来から、遊技機において遊技客が獲得したパチンコ玉は、専用のケースに収納され、このケースを玉計数装置又は景品交換所まで運んだ後、獲得したパチンコ玉を計数することが行われている。
【０００３】
ところが、ケース内のパチンコ玉の個数が多い場合には、その個数に比例してケースの重量が重くなるため、多量のパチンコ玉を収納した重いケースを玉計数装置又は景品交換所まで運ぶ作業に多大な労力を要するものであった。また、パチンコ玉を収納した複数のケースを遊技客の足下周辺に積み上げると、他の遊技客や店員の通行の邪魔になるおそれがあった。さらに、パチンコ玉がケースに収納されたままの状態に置かれると、ケース内のパチンコ玉は遊技に供せられないため、遊技場全体でパチンコ玉の個数が多く必要になるという不都合があった。
【０００４】
そこで、このような不都合を解消するために、上記のパチンコ玉の専用ケースを不要とする遊技機用玉計数装置が開発されている。この装置は、特許文献１に記載されているように、遊技客が獲得したパチンコ玉を遊技機に隣設された玉貸機の内部を通過させ、遊技機の背面側の遊技島内へ移送して回収する際に、パチンコ玉の個数を計数し、その計数結果をカード等の媒体に記憶させるようにしたものである。また、このようにしてカード等の媒体を提供された遊技客は、その媒体を景品交換所に持ち込むことによって所望の景品と交換することが可能となる。
【０００５】
ところで、上記の特許文献１の遊技機用玉計数装置は、遊技機の下皿の下方に配設された玉受け部と、玉貸機の内部に形成された計数通路と、該計数通路と玉受け部とを連結する連結通路と、計数通路に設けられた計数センサとを有するものである。
【０００６】
このように構成された遊技機用玉計数装置において、遊技機の下皿から落下するパチンコ玉は玉受け部で受けられる。また、このように玉受け部で受けられたパチンコ玉は、連結通路及び計数通路を経て遊技機の背面側の遊技島内へ回収され、計数通路の移送過程においてその個数が計数センサによって計数される。
【先行技術文献】
【特許文献】
【０００７】
【特許文献１】特開２００９−８９７８６号公報
【発明の概要】
【発明が解決しようとする課題】
【０００８】
ところで、上記のように遊技機の下皿から落下したパチンコ玉が玉受け部の玉受面上に落下した際、玉受面に衝突したり、パチンコ玉同士が衝突することによって飛散し、玉受け部から外方へ落下することがあった。そこで、パチンコ玉が玉受け部から落下しないように、上記の特許文献１の遊技機用玉計数装置に設けられた玉受け部には、玉受け部の壁部に沿って上方に延出する延出壁部材が設けられている。ところが、遊技機の本体扉を遊技台枠から開閉する際、上記の延出壁部材に本体扉の下端部が衝突すると、遊技機の開閉動作が妨げられ、また延出壁部材が破損するという問題があった。
【０００９】
上記の延出壁部材の破損を防ぐためには、遊技機を開く前に延出壁部材を取外し、遊技機を閉めた後に延出壁部材を取り付ける作業が必要となる。このため、遊技機を開閉する際の作業性が悪くなり、また遊技機を閉めた後に延出壁部材の取り付けを忘れてしまうおそれがあった。
【００１０】
本発明は、上記の事情に鑑みてなされたものであり、遊技機に設けられた遊技機用玉計数装置の玉受け部（以下、この玉受け部を「玉受皿」と称する）に、遊技機の下皿から落下したパチンコ玉の飛散を防止するための飛散防止部材を設け、この飛散防止部材を使用する際の利便性や作業性を向上することができるようにした遊技機用玉計数装置の玉受皿を提供することを目的とする。
【課題を解決するための手段】
【００１１】
上記の課題を解決するために、本発明における請求項１は、遊技機の下皿から排出されるパチンコ玉を受けてその個数を計数しながら回収する遊技機用玉計数装置の一部を構成し、遊技機の下皿の下方且つ遊技機の前面側に配設され、遊技機の下皿から落下するパチンコ玉を受けるようにした玉受皿において、前記玉受皿には、該玉受皿の前方上部を覆うカバー部を有する飛散防止部材を設け、前記飛散防止部材は、前記玉受皿に対し回動自在に枢設され、該飛散防止部材が玉受皿の前方側から上部を覆うように回動方向に昇降可能とし、前記飛散防止部材の両側には、前記カバー部が上昇した際、前方へ向かって上り勾配を有する傾斜状となる上縁を備え、前記飛散防止部材の傾斜した前記上縁が開動作する遊技機との当接に伴って前記飛散防止部材が回動しカバー部が下降することを特徴とする遊技機用玉計数装置の玉受皿である。
【００１２】
また、本発明の請求項２は、遊技機の下皿から排出されるパチンコ玉を受けてその個数を計数しながら回収する遊技機用玉計数装置の一部を構成し、遊技機の下皿の下方且つ遊技機の前面側に配設され、遊技機の下皿から落下するパチンコ玉を受けるようにした玉受皿において、前記玉受皿には、該玉受皿の前方上部を覆うカバー部を有する飛散防止部材を設け、前記飛散防止部材は、前記玉受皿に対し回動自在に枢設され、該飛散防止部材が玉受皿の前方側から上部を覆うように回動方向に昇降可能とし、前記飛散防止部材は、該飛散防止部材の両側に、前記カバー部が上昇した際、前方へ向かって上り勾配を有する傾斜状となる上縁と、前記玉受皿の後方側に、前方方向に向かって下方に傾斜した遮蔽部と、該遮蔽部の両側を支持し、前記カバー部が下降した際に後方に向かって上り勾配を有する傾斜状となる支持部と、を備え、前記飛散防止部材は、前記飛散防止部材の傾斜した前記上縁が開動作する遊技機との当接に伴って前記飛散防止部材が回動しカバー部が下降するとともに、傾斜した前記支持部が閉動作する遊技機との当接に伴って該飛散防止部材が回動し前記カバー部を上昇することを特徴とする遊技機用玉計数装置の玉受皿である。
【発明の効果】
【００１６】
請求項１の発明によれば、玉受皿の前方上部を覆うカバー部を有する飛散防止部材を設け、前記飛散防止部材を前記玉受皿に対し回動自在に枢設し、該飛散防止部材が玉受皿の前方側を回動自在に昇降可能としたことで、該飛散防止部材を回動してカバー部を上昇させておくことにより、遊技機の下皿から落下するパチンコ玉を受ける際に、パチンコ玉が飛散して外方へ落下するのを防止することができる。また、飛散防止部材のカバー部が玉受皿の前方を覆う傾斜状に形成されているため、該カバー部に下皿から落下するパチンコ玉が衝突した際も、このパチンコ玉を確実に玉受皿の玉受面側へ返すことができる。
【００１７】
また、前記飛散防止部材の両側に、前記カバー部が上昇した際、前方へ向かって上り勾配を有する傾斜状となる上縁を備え、開動作する遊技機との当接に伴って前記飛散防止部材が回動しカバー部が下降するので、該飛散防止部材を手作業で取り外したりする必要がなく、遊技機を開閉する際の作業性が良くなり、併せて飛散防止部材が遊技機と衝突した際でも、該飛散防止部材の破損や連結通路等の玉受皿周辺機器の破損を招くことがない。
【００１８】
さらに、飛散防止部材に遮蔽部を備えたことで、玉受皿内のパチンコ玉が後方へこぼれるのを防止すると共に、該遮蔽部の両側を支持し、前記カバー部が下降した際に後方に向かって上り勾配を有する傾斜状となる支持部を備えたことで、傾斜した前記支持部が閉動作する遊技機との当接に伴ってカバー部が上昇するので、遊技機の開閉動作によって飛散防止部材を昇降することが可能となり、遊技機を開閉する際の作業性が極めてよく、併せて飛散防止部材が開閉する遊技機と衝突した際でも、該飛散防止部材の破損を招くことがない。
【図面の簡単な説明】
【００２１】
【図１】本発明による実施例１の遊技機用玉計数装置の玉受皿を設けた遊技機の全体斜視図である。
【図２】本発明による実施例１の遊技機用玉計数装置の玉受皿とその周辺を示す斜視図である。
【図３】本発明の実施例１に係る遊技機の下皿から玉受皿へ向けてパチンコ玉が落下している状況を示す断面図である。
【図４】本発明による実施例１の遊技機用玉計数装置の玉受皿と飛散防止部材と支持部材の分解斜視図である。
【図５】本発明による実施例１の遊技機用玉計数装置の玉受皿に飛散防止部材を取付ける前の状況を示す分解斜視図である。
【図６】（ａ）は本発明による実施例１の遊技機用玉計数装置の玉受皿に設けた飛散防止部材を回動しカバー部を上昇した状況を示す部分断面図であり、(ｂ)はその飛散防止部材を回動しカバー部を下降した状況を示す部分断面図である。
【図７】（ａ）及び(ｂ)は、本発明による実施例１に係る遊技機の本体扉を開くことにより、玉受皿に設けた飛散防止部材を回動してカバー部を下降する状況を示す側面図である。
【図８】（ａ）及び(ｂ)は、本発明による実施例１に係る遊技機の本体扉を開閉する際の状況を示す斜視図である。
【図９】本発明による実施例２の遊技機用玉計数装置の玉受皿に飛散防止部材を取付ける前の状況を示す分解斜視図である。
【図１０】本発明による実施例２の遊技機用玉計数装置の玉受皿の飛散防止部材を回動してカバー部を上昇した状況を示す斜視図である。
【図１１】本発明による実施例２の遊技機用玉計数装置の玉受皿の飛散防止部材を回動してカバー部を下降した状況を示す斜視図である。
【図１２】（ａ）及び(ｂ)は、本発明による実施例２に係る遊技機の本体扉の開閉に伴う飛散防止部材の昇降に関する状況を示す側面図である。
【図１３】（ａ）及び(ｂ)は、本発明による実施例２に係る遊技機の本体扉を開閉する際の状況を示す斜視図である。
【発明を実施するための形態】
【００２２】
以下、本発明の実施例について図面を参照しながら説明する。
【実施例１】
【００２３】
本実施例の遊技機用玉計数装置１の玉受皿２は、図１、図２又は図３に示すように、遊技機３の下皿４から落下するパチンコ玉Ｐを受けて、その個数を計数しながら回収する遊技機用玉計数装置１の一部を構成するものである。
【００２４】
図１に示すように、パチンコ店等の遊技場に設置されている遊技機３は、本体枠５の前面に片開き式に本体扉６が軸支され、本体扉６にはその前面に突出してなる上皿７と下皿４とが設けられている。上皿７は後述する玉貸機１３に設けられた玉払出ノズル１５から供給されるパチンコ玉を一時的に貯留するものであり、この上皿７からパチンコ玉が遊技機３内に順次供給される。下皿４は遊技機３から排出されたパチンコ玉（「出玉」又は「当たり玉」という）を一時的に貯留するものである。また、図３に示すように下皿４の底面に不図示のシャッターを備えた通過穴４ａが形成され、シャッターを開放することにより下皿４に貯留されているパチンコ玉Ｐが通過穴４ａを経て落下され、下皿４の下方に配設された玉受皿２で受けとめられる。
【００２５】
玉受皿２は、図３に示すように、遊技機３の下皿４の下方且つ遊技機３の前面側に配設され、下皿４から落下するパチンコ玉Ｐを受けるようにしたものである。その構造は、図２又は図３に示すように、下皿４から落下したパチンコ玉Ｐを受ける玉受面８を備え、この玉受面８はその後方に設けられたレール９に向かって下り勾配を有する。また、玉受皿２は、図２に示すように玉受面８の前方側と両側に囲い部１０が曲線をなして連続的に形成され、図３に示すように下皿４から玉受面８に落下したパチンコ玉Ｐは囲い部１０で外方への落下を防止されると共に、玉受面８に沿って流下し、レール９に上載される。
【００２６】
レール９は、図２に示すように玉受皿２の左方に図示された開口部１１の方向へ下り勾配を有し、レール９に上載されたパチンコ玉Ｐはレール９の下り勾配に沿って開口部１１の方向へ流下し、開口部１１を経て玉受皿２に連結された連結通路１２へ流入する。
【００２７】
一方、図１に示すように、遊技機３の側部には玉貸機１３が設けられている。この玉貸機１３の前面上部には、縦方向に長いスリット状の紙幣挿入口１４が設けられ、高さ方向の中間部には水平方向に回動可能な玉払出ノズル１５が設けられている。また、玉貸機１３の玉払出ノズル１５の下方の前面下部には表示部１６が設けられている。
【００２８】
さらに、図２に示すように、玉貸機１３の内部下方には、上記の連結通路１２と結合されてなる計数通路１７が設けられ、この計数通路１７に設けられた不図示の計数センサによって連結通路１２から計数通路１７を通過するパチンコ玉Ｐの個数が計数される。その計数結果をカード等の媒体に記憶させた後、この媒体を遊技客に提供する。遊技客は、その媒体を景品交換所に持ち込むことにより所望の景品と交換することができる。
【００２９】
ところで、上記の構造において、例えば、遊技客が当たり玉を多く出した場合には、多数のパチンコ玉Ｐが下皿４から玉受皿２に落下するが、その際、該パチンコ玉Ｐと玉受面８との衝突、或はパチンコ玉Ｐ同士の衝突により、玉受皿２内で飛散し、パチンコ玉Ｐが囲い部１０を越して外方へ落下する状況となる。
【００３０】
本実施例においては、このような不都合を解消するために、玉受皿２の前方上部を傾斜状に覆うカバー部１８を備えた飛散防止部材１９が玉受皿２に対して着脱自在かつ回動自在に枢設され、該飛散防止部材１９が玉受皿２の前方側を回動方向に昇降可能とされている。
【００３１】
上記の本実施例の飛散防止部材１９について詳細に述べると、図４又は図５に示すように、飛散防止部材１９を玉受皿２に着脱自在かつ回動自在に枢設する構造として、玉受皿２の両側部には別途形成した支持部材２０を固設し、この支持部材２０に設けた後述する取付突起部２２や枢支部２４等を介して飛散防止部材１９を回動自在に取り付けるようにしている。
【００３２】
上記の各支持部材２０は左右対称の構造を有するが、図４に示すように連結通路１２を有する側の支持部材２０には連結通路１２を跨ぐ凹形状の嵌合溝２１が設けられている。また、各支持部材２０の内側面は玉受皿２の各側面に応じた形状に形成され、各支持部材２０の上端は内側に上縁２３が突出した形状とされている。この支持部材２０を玉受皿２の側部に取付けるには、図４、図５に示すように、各支持部材２０の上縁２３を玉受皿２の上端部２ａに当てることによって容易に位置決めができる。そして、各支持部材２０の内側面と玉受皿２の側面とを両面粘着テープ等によって接着するか又はボルト等で固定することによって各支持部材２０の取付けが完了する。
【００３３】
また、図５に示すように、各支持部材２０には外方へ突出した取付突起部２２が設けられている。この取付突起部２２の外端には円形の枢支部２４が形成され、この枢支部２４が飛散防止部材１９の両側の押え部２９、２９に形成された取付穴２９ａに回動自在に嵌合される。
【００３４】
さらに、図６（ａ）、（ｂ）に示すように、各取付突起部２２には玉受皿２の前方斜め上方に向けられたピン受け部２６が形成されている。このピン受け部２６は内部に空洞２６ａを有すると共に、ピン受け部２６の上端に内部の空洞２６ａよりも細径のピン通路２６ｂが形成され、このピン通路２６ｂに係止ピン２７が摺動自在に挿通されている。なお、図６（ａ）、（ｂ）に示すように取付突起部２２の外周から補強部２２ａが突出形成され、取付突起部２２に切欠部２５が形成されたことによる強度を補強するようにしている。
【００３５】
上記の係止ピン２７は、上記のピン通路２６ｂを摺動自在に上下動するが、その後端には拡径された係止部２７ａが形成されている。この係止ピン２７をピン受け部２６のピン通路２６ｂに挿入すると共に、係止部２７ａを空洞２６ａ内に収納し、さらに空洞２６ａ内に収納した弾性バネ２８によって係止部２７ａを支持することにより、係止ピン２７を外方へ弾性的に付勢することが可能とされている。
【００３６】
一方、図４又は図５に示すように、飛散防止部材１９は玉受皿２の前方上部を傾斜状に覆うカバー部１８と玉受皿２の両側部に着脱自在かつ回動自在に枢設される両側の押え部２９とを有する。即ち、この飛散防止部材１９は、上記のカバー部１８が玉受皿２の曲線をなす外形に倣った連続形状に形成されると共に、飛散防止部材１９の両側部には外方へやや突出した押え部２９、２９が形成されている。なお、飛散防止部材１９のカバー部１８の中央には図２に示す指掛突起部１９ａが設けられ、この指掛突起部１９aに指を掛けることによって飛散防止部材１９を上方又は下方へ回動する際の指掛りとすることができる。
【００３７】
また、上記の構成において、飛散防止部材１９を弾性合成樹脂等により形成することにより、飛散防止部材１９の両側の押え部２９、２９を手作業で互いに外側へ広げることが可能であり、このような変形によって両側の押え部２９、２９の各取付穴２９ａ、２９ａを両側の支持部材２０、２０の各枢支部２４、２４に容易に嵌合することができる。
【００３８】
さらに、本実施例においては、図４、５に示すように、飛散防止部材１９の両側の押え部２９、２９の上縁から下方へ向けて弾性を有するカバー押え片３０、３０が垂設されている。一方、支持部材２０の各取付突起部２２の側部には、図６（ａ）、(ｂ)に示すように、玉受皿２の後方側に切欠部２５が形成されている。
【００３９】
このような構成において、各カバー押え片３０、３０を、図６（ａ）、（ｂ）に示すように取付突起部２２の切欠部２５に嵌合することにより、各カバー押え片３０、３０は枢支部２４、２４（図５参照）に係止された状態を保つこととなる。これによって、飛散防止部材１９の両側の押え部２９、２９の各取付穴２９ａ、２９ａが各枢支部２４、２４に嵌合した状態から抜け出すのを防止することが可能となる。さらに、飛散防止部材１９の両側の押え部２９、２９が玉受皿２に対して着脱自在かつ回動自在に枢設された構造における左右方向へのぶれを防止することが可能となる。
【００４０】
また、図６（ａ）、(ｂ)に示すように、飛散防止部材１９には、各押え部２９に形成された湾曲形状の天井部２９ｂの内側に沿って複数の係止凹部３１、３１…が順次配設されている。そして、取付突起部２２のピン受け部２６に弾性バネ２８で支持された係止ピン２７が上記の各係止凹部３１、３１…に段階的に係止されることによって飛散防止部材１９の回動動作を間欠的に停止することが可能となる。このような構成により、図４に示すような下皿４の高さが遊技機３の機種によって異なる場合でも、飛散防止部材１９の回動角度を段階的に調整してカバー部１８を所望の高さにすることが可能となる。
【００４１】
上記の構成により、図６（ａ）に示すように、飛散防止部材１９を上方へ回動したとき、上記の係止ピン２７が飛散防止部材１９の複数の係止凹部３１、３１…を順次乗り越し、係止ピン２７が最前部の係止凹部３１ａに係止される。この位置でカバー部１８の上縁１８ａの後端１８ｂが支持部材２０の上縁２３に当接することにより、飛散防止部材１９のカバー部１８の上縁１８ａが玉受皿２の前方へ向けて上り勾配を有する傾斜状態となる。
【００４２】
さらに、上記のように飛散防止部材１９が上方へ回動し、カバー部１８が上昇した状態にあるとき、図３に示すように、カバー部１８が玉受皿２の前方上部を傾斜状に覆うことにより、下皿４から玉受皿２に落下したパチンコ玉Ｐが前方へ飛散したときでも、飛散防止部材１９のカバー部１８の内側に当たって内方へ跳ね返り、玉受皿２の内部へ戻すことが可能となる。
【００４３】
また、図７（ａ）に示すように遊技機３の本体扉６を開くとき、この本体扉６の下端部が傾斜した飛散防止部材１９の上縁１８ａに当接する。図８（ａ）、（ｂ）に示す点線Ｌは、遊技機３の本体扉６が開閉する際の本体扉６の下端が移動する軌跡を示すものであり、図８（ａ）に示すように、本体扉６の下端部が傾斜した飛散防止部材１９の上縁１８ａを前方へ押し出して自動的に飛散防止部材１９を下降方向へ回動し、図７（ｂ）又は図８（ｂ）に示すようにカバー部１８を下降状態にすることができる。従って、遊技機３の本体扉６を開く際に、飛散防止部材１９を手作業で取り外す必要がなく、遊技機３の本体扉６を開閉する際の作業性が良くなり、飛散防止部材１９は遊技機３の本体扉６と衝突しても破損することはない。
【実施例２】
【００４４】
遊技機用玉計数装置１（図１参照）の玉受皿２には、図９に示すように、レール９の後方に傾斜状の遮蔽部材３４が設けられ、パチンコ玉Ｐがレール９の後方へ落下しないようにしている。このような構造を利用して、本実施例の飛散防止部材１９は、玉受皿２の前方側を傾斜状に覆うカバー部１８の他に、玉受皿２内のパチンコ玉Ｐが後方へこぼれるのを防止する遮蔽部３２が設けられている。この遮蔽部３２は玉受皿２の遮蔽部材３４を傾斜状に覆う形状を有すると共に、カバー部１８の両側後端の上部から後方へ上り勾配を有する傾斜状の支持部３３、３３で支持された構成とされている。
【００４５】
実施例２のその他の構成は、実施例１と同様の構成を有する。従って、本実施例の飛散防止部材１９を玉受皿２に取付けた状況は図１０に示す通りであり、飛散防止部材１９の遮蔽部３２を下方へ倒し込んだ状況にすると、両側の支持部３３、３３は玉受皿２の上端に沿って略水平状態となる。また、この状態で、飛散防止部材１９が上方へ回動してカバー部１８を上昇すると共に、カバー部１８の上縁１８ａが玉受皿２の前方へ向けて上り勾配を有する傾斜状態となる。
【００４６】
一方、図１１に示すように、飛散防止部材１９を下方へ回動してカバー部１８を下降した状態にすると、飛散防止部材１９の遮蔽部３２が上昇して両側の支持部３３、３３が玉受皿２の後方へ向けて上り勾配を有する傾斜状態となる。
【００４７】
従って、上記の構成において、図１２（ａ）に示すように遊技機３の本体扉６を開くとき、この本体扉６の下端部が傾斜した飛散防止部材１９の上縁１８ａに当接する。このとき、図１３（ａ）に示すように、本体扉６の下端部が、傾斜した飛散防止部材１９の上縁１８ａを前方へ押し出して自動的に飛散防止部材１９を下降方向へ回動し、図１１、図１２（ｂ）又は図１３（ｂ）に示すようにカバー部１８を下降状態となると共に後方の遮蔽部３２が上昇状態となる。なお、図１３（ａ）、（ｂ）に示す点線Ｌは、遊技機３の本体扉６が開閉する際の本体扉６の下端が移動する軌跡を示すものである。
【００４８】
さらに、図１２（ｂ）に示す状態から遊技機３の本体扉６を閉じるとき、この本体扉６の下端部が遮蔽部３２の傾斜した支持部３３に当接する。このとき、図１３（ｂ）に示すように、本体扉６の下端部が傾斜した支持部３３を後方へ押し込んで自動的に飛散防止部材１９を上昇方向へ回動し、図１０又は図１３（ａ）に示すようにカバー部１８を上昇状態にすることができる。
【００４９】
このような本実施例によれば、遊技機３の本体扉６を開く動作によって飛散防止部材１９を自動的に下方へ回動してカバー部１８を下降するだけではなく、遊技機３の本体扉６を閉じる動作によって飛散防止部材１９を自動的に上方へ回動してカバー部１８を上昇することができる。従って、本実施例によれば、遊技機３の本体扉６を開閉する際の作業性が極めてよく、また遊技機３の本体扉６を開閉する際に飛散防止部材１９を破損するおそれもなくなる。
【産業上の利用可能性】
【００５０】
本発明の遊技機用玉計数装置の玉受皿は、この玉受皿に遊技機の下皿から落下したパチンコ玉の飛散を防止するための飛散防止部材を設けると共に、玉受皿に対して回動自在に枢設することにより、遊技機の本体扉を開閉する際の動作に応じて飛散防止部材を回動するようにして、この飛散防止部材を使用する際の利便性や作業性を向上することができる遊技機用玉計数装置の玉受皿として利用可能である。
【符号の説明】
【００５１】
１  遊技機用玉計数装置
２  玉受皿
２ａ  上端部
３  遊技機
４  下皿
４ａ  通過穴
５  本体枠
６  本体扉
７  上皿
８  玉受面
９  レール
１０  囲い部
１１  開口部
１２  連結通路
１３  玉貸機
１４  紙幣挿入口
１５  玉払出ノズル
１６  表示部
１７  計数通路
１８  カバー部
１８ａ  上縁
１８ｂ  上縁の後端
１９  飛散防止部材
１９ａ  指掛突起部
２０  支持部材
２１  嵌合溝
２２  取付突起部
２２ａ  補強部
２３  上縁
２４  枢支部
２５  切欠部
２６  ピン受け部
２６ａ  空洞
２６ｂ  ピン通路
２７  係止ピン
２７ａ  係止部
２８  弾性バネ
２９  押え部
２９ａ  取付穴
３０  カバー押え片
３１  係止凹部
３１ａ  最前部の係止凹部
３１ｂ  最後部の係止凹部
３２  遮蔽部
３３  支持部
３４  遮蔽部材
Ｐ  パチンコ玉
Ｌ  本体扉の下端部の移動軌跡
【図１】
0005457809.tif 000002
【図２】
0005457809.tif 000003
【図３】
0005457809.tif 000004
【図４】
0005457809.tif 000005
【図５】
0005457809.tif 000006
【図６】
0005457809.tif 000007
【図７】
0005457809.tif 000008
【図８】
0005457809.tif 000009
【図９】
0005457809.tif 000010
【図１０】
0005457809.tif 000011
【図１１】
0005457809.tif 000012
【図１２】
0005457809.tif 000013
【図１３】
0005457809.tif 000014